(57)【要約】【課題】普段の生活では鍛えることができない足裏、足指、足底筋や足底アーチ等をそれぞれ自在に鍛えることが可能なトレーニング器具の提供。【解決手段】手で把持される把持部２と、可撓性を有し、複数の足指間にそれぞれ挟持される複数の櫛歯部３０を有する櫛状部３と、可撓性を有し、把持部２と櫛状部３とを接続する紐状の接続部４とを有するトレーニング器具１であり、把持部２を手で把持するとともに櫛状部３の複数の櫛歯部３０の間に足指を入れて挟持し、この足指により挟持した複数の櫛歯部３０を足指や足脚のその他の部位等を使って引っ張ることで、足指や足脚のその他の様々な部位を自在に鍛えることが可能となる。【選択図】図１
2019141370.tif 000002
【特許請求の範囲】
【請求項１】
手で把持される把持部と、
可撓性を有し、複数の足指間にそれぞれ挟持される複数の櫛歯部を有する櫛状部と、
可撓性を有し、前記把持部と前記櫛状部とを接続する紐状の接続部と
を有するトレーニング器具。
【請求項２】
前記複数の櫛歯部は、それぞれ足指の叉部分を掛ける節部が所定間隔で複数形成された紐状である請求項１記載のトレーニング器具。
【請求項３】
前記把持部と前記櫛状部と前記接続部とは、可撓性を有する素材により一体成形されたものである請求項１または２に記載のトレーニング器具。
【発明の詳細な説明】
【技術分野】
【０００１】
本発明は、足裏、足指（趾）、足底筋や足底アーチ等のトレーニングを行うためのトレーニング器具に関する。
【背景技術】
【０００２】
足が疲れやすくなる原因として、足裏のトレーニング不足がある。足裏、足指、足底筋や足底アーチ等は普段の生活では鍛えることが難しい。そこで、足裏や足指等のトレーニングを行うためのトレーニング器具が提案されている。
【０００３】
例えば、特許文献１に記載の足指トレーニング器具は、足指トレーニング器具本体と、足指の第一指と第二指で挟む部材と、第二指と第三指で挟む部材と、第三指と第四指で挟む部材とからなる。この足指トレーニング器具は、自らの足指に装着して歩くことで、足の指や足の裏および足首が鍛えられるというものである。
【０００４】
また、例えば、特許文献２に記載の健康器具は、足の指と指との間に挿入可能で、内部に加圧媒体充填部を有し、加圧媒体が充填されると、この加圧媒体充填部が、指と指との間隔を拡げる方向に膨張する挿入体と、この挿入体に連通する部分に設けられている加圧媒体充填部へ加圧媒体を充填するための加圧媒体充填口とを備えたものである。この健康器具によれば、指と指との間隔を拡げて、指叉部分の筋肉を伸張し、血行を向上させて健康を促進できるというものである。
【先行技術文献】
【特許文献】
【０００５】
【特許文献１】特開２０１２−１６５５６号公報
【特許文献２】特開平１１−３１９００８号公報
【発明の概要】
【発明が解決しようとする課題】
【０００６】
特許文献１の足指トレーニング器具は、単に足指に装着して歩くだけであり、トレーニングの方法にあまりバリエーションがないため、鍛えられる部分が限られている。また、特許文献２に記載の健康器具においても、指と指との間隔を拡げて、指叉部分の筋肉を伸張するだけであり、鍛えられる部分が限られている。
【０００７】
そこで、本発明においては、普段の生活では鍛えることができない足裏、足指、足底筋や足底アーチ等をそれぞれ自在に鍛えることが可能なトレーニング器具を提供することを目的とする。
【課題を解決するための手段】
【０００８】
本発明のトレーニング器具は、手で把持される把持部と、可撓性を有し、複数の足指間にそれぞれ挟持される複数の櫛歯部を有する櫛状部と、可撓性を有し、把持部と櫛状部とを接続する紐状の接続部とを有するものである。本発明のトレーニング器具によれば、把持部を手で把持するとともに櫛状部の複数の櫛歯部の間に足指を入れて挟持し、この足指により挟持した複数の櫛歯部を足指や足脚のその他の部位等を使って引っ張ることで、足指や足脚のその他の様々な部位を自在に鍛えることが可能となる。
【０００９】
ここで、複数の櫛歯部は、それぞれ足指の叉部分を掛ける節部が所定間隔で複数形成された紐状であることが望ましい。これにより、足指の叉部分を掛ける節部の位置によって引っ張られる櫛歯部の長さが変わるため、櫛歯部を引っ張る力が変化し、好みに応じてトレーニングの強度を変えることが可能となる。
【００１０】
また、把持部と櫛状部と接続部とは、可撓性を有する素材により一体成形されたものであることが望ましい。これにより、低コストで簡単に製造することが可能となる。
【発明の効果】
【００１１】
（１）手で把持される把持部と、可撓性を有し、複数の足指間にそれぞれ挟持される複数の櫛歯部を有する櫛状部と、可撓性を有し、把持部と櫛状部とを接続する紐状の接続部とを有することにより、足指や足脚のその他の様々な部位を自在に鍛えることが可能となる。
【００１２】
（２）複数の櫛歯部が、それぞれ足指の叉部分を掛ける節部が所定間隔で複数形成された紐状であることにより、足指の叉部分を掛ける節部の位置を変えることで、好みに応じた強度でトレーニングを行うことが可能となる。
【００１３】
（３）把持部と櫛状部と接続部とが、可撓性を有する素材により一体成形されたものであることにより、低廉なトレーニング器具を提供することができる。
【図面の簡単な説明】
【００１４】
【図１】本発明の実施の形態におけるトレーニング器具の斜視図である。
【図２】図１のトレーニング器具の把持部の正面図である。
【図３】図１のトレーニング器具の把持部の側面図である。
【図４】図１のトレーニング器具の使用状態を示す説明図である。
【図５】図１のトレーニング器具の使用状態を示す説明図である。
【図６】図１のトレーニング器具の使用状態を示す説明図である。
【図７】図１のトレーニング器具を用いたふくらはぎ・足裏のトレーニング方法についての説明図である。
【図８】図１のトレーニング器具を用いたふくらはぎ・足裏のトレーニング方法についての説明図である。
【図９】図１のトレーニング器具を用いた足裏・アーチを刺激するトレーニング方法についての説明図である。
【図１０】図１のトレーニング器具を用いた足裏・アーチを刺激するトレーニング方法についての説明図である。
【図１１】図１のトレーニング器具を用いた股関節周りのトレーニング方法についての説明図である。
【図１２】図１のトレーニング器具を用いたもも裏（ハムストリング）のストレッチ方法についての説明図である。
【図１３】図１のトレーニング器具を用いた足の甲・スネのトレーニング方法についての説明図である。
【図１４】図１のトレーニング器具を用いた足裏のバランストレーニング方法についての説明図である。
【発明を実施するための形態】
【００１５】
図１は本発明の実施の形態におけるトレーニング器具の斜視図、図２は図１のトレーニング器具の把持部の正面図、図３は図１のトレーニング器具の把持部の側面図、図４〜図６は図１のトレーニング器具の使用状態を示す説明図である。
【００１６】
図１に示すように、本発明の実施の形態におけるトレーニング器具１は、手で把持される把持部２と、複数の足指間にそれぞれ挟持される複数の櫛歯部３０を有する櫛状部３と、把持部２と櫛状部３とを接続する紐状の接続部４とを有する。トレーニング器具１は、可撓性を有する素材により一体成形されている。なお、可撓性を有する素材としては、例えば天然ゴムや、シリコーンゴム等の合成ゴムなどの弾性ゴムを用いることが望ましい。
【００１７】
把持部２は、接続部４よりも太く、手の中に握りやすい大きさとなっている。把持部２には、第二手指と第三手指との間、第三手指と第四手指との間、または、第四手指と第五手指との間に接続部４を挟んだ状態で握った際に、手指が掛かりやすいように窪み部２０（図２および図３参照。）が形成されている。また、把持部２の表面には、滑り止めのための凸凹模様２１が形成されている。
【００１８】
櫛状部３は、複数（図示例では４つ）の紐状の櫛歯部３０が三角平板状の胴部３１に等間隔（本実施形態においては２０ｍｍ程度の間隔）で設けられたものである。櫛歯部３０は直径１０ｍｍ程度、長さ８０〜１２０ｍｍの丸紐状である。櫛歯部３０は伸縮性を有し、力を加えない状態から１．５〜２倍程度の長さまで伸長可能となっている。なお、胴部３１の厚さは１２〜１５ｍｍ程度である。
【００１９】
また、それぞれの櫛歯部３０には、それぞれ足指の叉部分を掛ける節部３２が所定間隔（本実施形態においては３５ｍｍ程度の間隔）で複数（図示例では３つ）形成されている。節部３２は櫛歯部３０よりも大きな直径１８ｍｍ程度の球状となっている。
【００２０】
接続部４は、直径１２〜１５ｍｍ程度、長さ２００〜３００ｍｍ程度の丸紐状である。接続部４は伸縮性を有し、力を加えない状態から１．５〜２倍程度の長さまで伸長可能となっている。
【００２１】
本実施形態におけるトレーニング器具１は、例えば第二手指と第三手指との間に接続部４を挟んだ状態で把持部２を手で把持するとともに、櫛状部３の複数の櫛歯部３０の間に足指を入れて挟持する。このとき、本実施形態におけるトレーニング器具１では４つの櫛歯部３０があるため、図４〜図６に示すように、それぞれの櫛歯部３０を第１足指５１、第２足指５２、第３足指５３、第４足指５４および第５足指５５の間に入れ、第１〜第５足指５１〜５５の叉部分が節部３２に掛かるようにして挟持する。そして、この第１〜第５足指５１〜５５により挟持した櫛歯部３０を足指や足脚のその他の部位等を使って引っ張ることで、足指や足脚のその他の様々な部位を自在に鍛えることができる。
【００２２】
なお、第１〜第５足指５１〜５５の叉部分を掛ける節部３２は、図４に示すように櫛歯部３０の先端の節部３２、図５に示すように櫛歯部３０の先端から２つ目の節部３２、または、図６に示すように櫛歯部３０の先端から３つ目の節部３２のいずれでも良い。第１〜第５足指５１〜５５の叉部分を掛ける節部３２の位置によって引っ張られる櫛歯部３０の長さが変わるため、櫛歯部３０を引っ張る力が変化する。そのため、好みに応じて節部３２の位置を変えることで、トレーニングの強度を変えることが可能となる。
【００２３】
次に、本実施形態におけるトレーニング器具１を用いたトレーニング方法について、図７〜図１４を参照して説明する。
【００２４】
（１）ふくらはぎ・足裏のトレーニング
図７（Ａ）に示すように、椅子６０に座った状態で、トレーニング器具１の把持部２を手５０で把持するとともに櫛状部３の櫛歯部３０の間に第１〜第５足指５１〜５５を入れて挟持し、図７（Ｂ）に示すように、第１〜第５足指５１〜５５を使って櫛歯部３０を引っ張る。このとき、把持部２側は引っ張った状態で動かないように手５０でしっかりと固定し、第１〜第５足指５１〜５５を使い、つま先をしっかりと伸ばすように意識することで、ふくらはぎを引き締めることができる。
【００２５】
また、図８（Ａ）に示すように、椅子６０に座った状態で、トレーニング器具１の把持部２を手５０で把持するとともに櫛状部３の櫛歯部３０の間に第１〜第５足指５１〜５５を入れて挟持し、図８（Ｂ）に示すように、つま先立ちの状態として第１〜第５足指５１〜５５により櫛歯部３０を引っ張る。このとき、把持部２側は引っ張った状態で動かないように手５０でしっかりと腿の位置で固定し、第１〜第５足指５１〜５５の指先で櫛歯部３０を押し込むようにする。これらのトレーニングにより、ふくらはぎおよび足裏を鍛えることができる。
【００２６】
（２）足裏・アーチを刺激するトレーニング
図９（Ａ）に示すように、椅子６０に座った状態で、トレーニング器具１の把持部２を手５０で把持するとともに櫛状部３の櫛歯部３０の間に第１〜第５足指５１〜５５を入れて挟持し、図９（Ｂ）に示すように、第１〜第５足指５１〜５５を使って櫛歯部３０を引っ張る。このとき、把持部２側は引っ張った状態で動かないように手５０でしっかりと固定し、第１〜第５足指５１〜５５を身体の方向に引き付けたまま足首を固定し（図９（Ａ）参照。）、そのまま第１〜第５足指５１〜５５だけで何かをつまむように曲げるようにする（図９（Ｂ）参照。）。
【００２７】
また、図１０（Ａ）に示すように、椅子６０に座った状態で、トレーニング器具１の把持部２を手５０で把持するとともに櫛状部３の櫛歯部３０の間に第１〜第５足指５１〜５５を入れて挟持し、かかとを床につけて足首を９０度に固定した状態で、図１０（Ｂ）に示すように、第１〜第５足指５１〜５５だけを曲げるようにする。これらのトレーニングにより、足裏・アーチを刺激して、鍛えることができる。
【００２８】
（３）股関節周りのトレーニング
図１１（Ａ）に示すように、椅子６０に座った状態から膝を引き付け、トレーニング器具１の把持部２を手５０で把持するとともに櫛状部３の櫛歯部３０の間に第１〜第５足指５１〜５５を入れて挟持し、図１１（Ｂ）に示すように第１〜第５足指５１〜５５の指先から股関節を伸ばす。このとき、指先で櫛歯部３０を押し込むようにする。これにより、腸腰筋を刺激し、股関節の柔軟性や骨盤のトレーニングを行うことができる。
【００２９】
（４）もも裏（ハムストリング）のストレッチ
床に寝た状態でトレーニング器具１の把持部２を手５０で把持するとともに櫛状部３の櫛歯部３０の間に第１〜第５足指５１〜５５を入れて挟持し、この状態から図１２（Ａ）に示すようにハムストリングが伸びるところまで足を上げ、図１２（Ｂ）に示すように、その場で足首を動かすようにする。これにより、ハムストリングやその周りの筋肉がほぐれ、怪我防止に役立つ。
【００３０】
（５）足の甲・スネのトレーニング
図１３（Ａ）に示すように、床に座り、前方へ伸ばした片方の脚の上に膝を曲げてもう片方の脚を載せ、足裏側から第１〜第５足指５１〜５５の間に櫛状部３の櫛歯部３０をそれぞれ入れて挟持し、トレーニング器具１の把持部２を手５０で把持して引っ張った状態とする。そして、図１３（Ｂ）に示すように、つま先を膝の方向へ押し上げるようにする。これにより、前脛骨筋を鍛えることができる。
【００３１】
（６）足裏のバランストレーニング
図１４（Ａ）に示すように、軸足の第１〜第５足指５１〜５５の間に櫛状部３の櫛歯部３０をそれぞれ入れて挟持し、トレーニング器具１の把持部２を手５０で把持して引っ張った状態とする。そして、図１４（Ｂ）や図１４（Ｃ）に示すように、軸足と反対側の足を上げる。これにより、不安定な状態を足指が床を掴むことでバランスを取ることができるようになる。
【００３２】
以上のように、本実施形態におけるトレーニング器具１では、把持部２を手５０で把持するとともに櫛状部３の複数の櫛歯部３０の間に第１〜第５足指５１〜５５を入れて挟持し、この第１〜第５足指５１〜５５により挟持した複数の櫛歯部３０を足指や足脚のその他の部位等を使って引っ張ることで、普段の生活では鍛えることができない足指や足脚のその他の様々な部位を自在に鍛えることが可能である。
【００３３】
また、本実施形態におけるトレーニング器具１では、複数の櫛歯部３０がそれぞれ足指の叉部分を掛ける節部３２が所定間隔で複数形成された紐状であることにより、第１〜第５足指５１〜５５の叉部分を掛ける節部３２の位置によって引っ張られる櫛歯部３０の長さが変わるため、櫛歯部３０を引っ張る力が変化し、好みに応じてトレーニングの強度を変えることが可能となっている。
【００３４】
なお、上記実施形態においては、トレーニング器具１は可撓性を有する素材により一体成形されたものであり、低コストで簡単に製造することが可能であるが、少なくとも複数の櫛歯部３０と紐状の接続部４とが可撓性を有すれば良い。すなわち、複数の櫛歯部３０が可撓性を有することで足指によって挟持しやすくなり、接続部４が可撓性を有することで、把持部２と櫛歯部３０との間に引張力が作用した際に伸縮することでトレーニングの強度を変化できれば良い。
【産業上の利用可能性】
【００３５】
本発明のトレーニング器具は、足裏、足指（趾）、足底筋や足底アーチ等のトレーニングを行うためのトレーニング器具として有用である。
【符号の説明】
【００３６】
１  トレーニング器具
２  把持部
２０  窪み部
２１  凸凹模様
３  櫛状部
３０  櫛歯部
３１  胴部
３２  節部
４  接続部
【図１】
2019141370.tif 000003
【図２】
2019141370.tif 000004
【図３】
2019141370.tif 000005
【図４】
2019141370.tif 000006
【図５】
2019141370.tif 000007
【図６】
2019141370.tif 000008
【図７】
2019141370.tif 000009
【図８】
2019141370.tif 000010
【図９】
2019141370.tif 000011
【図１０】
2019141370.tif 000012
【図１１】
2019141370.tif 000013
【図１２】
2019141370.tif 000014
【図１３】
2019141370.tif 000015
【図１４】
2019141370.tif 000016
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
手で把持される把持部と、
可撓性を有し、複数の足指間にそれぞれ挟持される複数の櫛歯部であり、それぞれ足指の叉部分を掛ける節部が所定間隔で複数形成された紐状である複数の櫛歯部を有する櫛状部と、
可撓性を有し、前記把持部と前記櫛状部とを接続する紐状の接続部と
を有するトレーニング器具。
【請求項２】
前記把持部と前記櫛状部と前記接続部とは、可撓性を有する素材により一体成形されたものである請求項１記載のトレーニング器具。